(57)【要約】【課題】  硬い床上でも痛みを感じることなく新体操の練習をすることができるようにすることにある。【解決手段】  ストレッチ編物生地２によって形成された新体操用練習衣装１であり、身体の表面のうち保護を要する部分を覆うように、クッション性及び伸縮性を有する所定の厚さのパッド３を前記ストレッチ編物生地２に縫着することにより、床から身体に作用する力をパッド３で緩和して、練習時に生じる痛みを解消するように構成している。また、パッド３の厚さを２．５〜３．５ｍｍの発泡ゴム（例えば発泡クロロプレンゴム）で形成することにより、パッド３を薄く軽量なものとすると共に力の吸収性の向上を図り、これによりパッド３を設けたことによる違和感を解消しながら、身体に生じる痛みを十分に解消できるようになっている。【選択図】  図１
0003166698.tif 000002
【実用新案登録請求の範囲】
【請求項１】
ストレッチ編物生地によって形成された新体操用練習衣装であって、
身体の表面のうち保護を要する部分を覆うように、クッション性及び伸縮性を有する所定の厚さのパッドを前記ストレッチ編物生地に縫着したことを特徴とする新体操用練習衣装。
【請求項２】
前記パッドは、厚さが２．５〜３．５ｍｍの発泡ゴムによって形成され、前記ストレッチ編物生地の内面に縫着されていることを特徴とする請求項１に記載の新体操用練習衣装。
【請求項３】
前記身体の表面のうち保護を要する部分は、当該身体の表面における外から触れた際に骨を確認できる部分であることを特徴とする請求項１又は２に記載の新体操用練習衣装。
【請求項４】
前記身体の表面のうち保護を要する部分は、少なくとも、左右の各肩の部分、背中における背骨の部分及び腰における左右に突出する各寛骨の部分であることを特徴とする請求項１〜３の何れかに記載の新体操用練習衣装。
【請求項５】
前記背中における背骨の部分を覆うように設けたパッドは、背骨の長手方向に順次配置された複数のパッド片によって構成されており、前記各パッド片は互い隙間なく又は背骨の部分が床面に当たって痛みを生じることがないような間隔以下の間隔をおいて配置されていることを特徴とする請求項４に記載の新体操用練習衣装。
【請求項６】
前記ストレッチ編物生地は、身体の前面側に位置することになる前面生地と、身体の背面側に位置することになる背面生地とを有し、
前記背面生地は、上側背面生地と、下側背面生地とを有しており、
前記上側背面生地と前記下側背面生地との境界部は、前記腰における左右に突出する各寛骨の部分を覆うように前記ストレッチ編物生地に縫着された左右の各前記バッドの上縁部の上側であって当該各上縁部の近傍を通り、前記背面生地の左右方向の中央部に向って漸次下方となる位置を通るように形成されており、
前記下側背面生地は、前記境界部を介して前記上側背面生地に接続されることにより、前記左右の各寛骨の部分を覆うパッドが身体の腰部を囲むような立体的形状になることを許容するように形成されていることを特徴とする請求項４又は５に記載の新体操用練習衣装。
【請求項７】
前記左右の各肩の部分を覆うように設けたパッドには、肩口に沿う方向にステッチによる凹状のラインが形成されており、
前記背中における背骨の部分を覆うように設けたパッドの上部には、襟ぐりに沿う方向にステッチによる凹状のラインが形成されていることを特徴とする請求項３〜６の何れかに記載の新体操用練習衣装。
【考案の詳細な説明】
【技術分野】
【０００１】
本考案は、硬い床上での練習の際に身体を保護する新体操用練習衣装に関する。
【背景技術】
【０００２】
従来、この種の新体操用練習衣装としては、競技に用いるようなレオタードのほか、トップスや、スパッツ等が用いられているが、何れも、競技用のレオタードと同様に、伸縮性を有する薄手の生地によるフィット性の高いもので形成されている。一方、新体操の競技は、通常、クッション性を有するマット上で行われているが、その新体操の練習においては、クッション性がほとんどない例えば木製の床上で行われることも少なくない。
【０００３】
新体操の練習においてもクッション性を有するマット上で行うことができれば、衣装が薄いものであっても身体に痛みを感じることがほとんどない。しかし、練習においては、木製などの硬い床上で行うことが多く、その硬い床面から作用する力が身体に直接的に当たることになるので、特に肩、背、腰等のように骨が皮膚の表面近くまで出ている部分に大きな痛みを感じることになる。
【０００４】
即ち、従来の新体操用練習衣装においては、木製等の硬い床上で練習した場合に、身体に痛みを感じるという問題があった。
【考案の概要】
【考案が解決しようとする課題】
【０００５】
本考案は、上記事情に鑑みてなされたものであり、硬い床上でも痛みを感じることなく新体操の練習をすることができる新体操用練習衣装を提供することを目的としている。
【課題を解決するための手段】
【０００６】
上記課題を解決するため、請求項１に記載の考案は、ストレッチ編物生地によって形成された新体操用練習衣装であって、身体の表面のうち保護を要する部分を覆うように、クッション性及び伸縮性を有する所定の厚さのパッドを前記ストレッチ編物生地に縫着したことを特徴としている。
【０００７】
請求項２に記載の考案は、請求項１に記載の考案において、前記パッドは、厚さが２．５〜３．５ｍｍの発泡ゴムによって形成され、前記ストレッチ編物生地の内面に縫着されていることを特徴としている。
【０００８】
請求項３に記載の考案は、請求項１又は２に記載の考案において、前記身体の表面のうち保護を要する部分は、当該身体の表面における外から触れた際に骨を確認できる部分であることを特徴としている。
【０００９】
請求項４に記載の考案は、請求項１〜３の何れかに記載の考案において、前記身体の表面のうち保護を要する部分は、少なくとも、左右の各肩の部分、背中における背骨の部分及び腰における左右に突出する各寛骨の部分であることを特徴としている。
【００１０】
請求項５に記載の考案は、請求項４に記載の考案において、前記背中における背骨の部分を覆うように設けたパッドは、背骨の長手方向に順次配置された複数のパッド片によって構成されており、前記各パッド片は互い隙間なく又は背骨の部分が床面に当たって痛みを生じることがないような間隔以下の間隔をおいて配置されていることを特徴としている。即ち、当該パッドは、複数のパッド片に分割された状態になっており、各パッド片は隙間なく背骨の長手方向に順次配置されたものであっても、所定の間隔をおいてその背骨の長手方向に順次配置されたものであってもよい。但し、その間隔は背骨の部分が床面に当たって痛みを生じることがないような間隔以下となっている。
【００１１】
請求項６に記載の考案は、請求項４又は５に記載の考案において、前記ストレッチ編物生地は、身体の前面側に位置することになる前面生地と、身体の背面側に位置することになる背面生地とを有し、前記背面生地は、上側背面生地と、下側背面生地とを有しており、前記上側背面生地と前記下側背面生地との境界部は、前記腰における左右に突出する各寛骨の部分を覆うように前記ストレッチ編物生地に縫着された左右の各前記バッドの上縁部の上側であって当該各上縁部の近傍を通り、前記背面生地の左右方向の中央部に向って漸次下方となる位置を通るように形成されており、前記下側背面生地は、前記境界部を介して前記上側背面生地に接続されることにより、前記左右の各寛骨の部分を覆うパッドが身体の腰部を囲むような立体的形状になることを許容するように形成されていることを特徴としている。
【００１２】
請求項７に記載の考案は、請求項３〜６の何れかに記載の考案において、前記左右の各肩の部分を覆うように設けたパッドには、肩口に沿う方向にステッチによる凹状のラインが形成されており、前記背中における背骨の部分を覆うように設けたパッドの上部には、襟ぐりに沿う方向にステッチによる凹状のラインが形成されていることを特徴としている。
【考案の効果】
【００１３】
請求項１に記載の考案によれば、身体の表面のうち保護を要する部分を覆うように、クッション性及び伸縮性を有する所定の厚さのパッドをストレッチ編物生地に縫着しているので、硬い床上で新体操の練習する場合でも、その硬い床面から作用する力がパットで緩和されて身体の保護すべき部分に伝わることになる。従って、身体の保護すべき部分を確実に保護することができると共に、当該部分に痛みが生じるのを防止することができる。
【００１４】
請求項２に記載の考案によれば、パッドを２．５〜３．５ｍｍの厚さの発泡ゴムによって形成しているので、パッドを薄く軽量なものにすることができると共に、力の吸収性の向上を図ることができ、よってパッドにる違和感の発生を防止しながら、身体に痛みが生じるのを十分に防止することができる。ここで、パッドの厚さを２．５ｍｍ以上としたのは、２．５ｍｍ未満になると、クッション性が不足して痛みを感じるおそれがあるからであり、３．５ｍｍを超えると、厚さ及び重さが増加しパッドを設けたことによる違和感を覚えるようになるからである。また、３．５ｍｍを超えると、伸縮性及び屈曲性も悪くなり、この点からもパッドを設けたことによる違和感を生じることになる。
【００１５】
請求項３に記載の考案によれば、身体の表面のうち保護を要する部分として、身体の表面における外から触れた際に骨を確認できる部分に特定しているので、その骨の部分をパッドによって保護することができる。即ち、骨の部分が床面に当たることにより、特に大きな痛みを感じるのを防止することができる。
【００１６】
請求項４に記載の考案によれば、身体の表面のうち保護を要する部分として、少なくとも左右の各肩の部分、背中における背骨の部分及び腰における左右に突出する各寛骨（いわゆる腰骨）の部分に限定しており、これらの部分は身体の表面における外から触れた際に骨を確認できる部分のうち床面と大きな力で接触することになる部分であるので、より少ない部位に設けたパッドによって、身体の痛みを効率よく解消することができる。
【００１７】
請求項５に記載の考案によれば、背中における背骨の部分に設けたパッドが背骨の長手方向に順次配置された複数のパッド片によって構成されており、前記各パッド片は互い隙間なく又は背骨の部分が床面に当たって痛みを生じることがないような間隔以下の間隔をおいて配置されているので、パッドの伸縮性がストレッチ編物生地の伸縮性に比して劣っていても、背骨の自由な屈曲を可能とし、背中部分に違和感が生じるのを防止することができる。しかも、各パッド片が互いに隙間なく又は背骨の部分に痛みを生じることがないような間隔以下の間隔をおいて配置されているので、背骨の部分に痛みが生じるのを確実に防止することができる。
【００１８】
請求項６に記載の考案によれば、背面生地は上側背面生地と下側背面生地とを有するようにし、上側背面生地と下側背面生地との境界部は左右の各寛骨の部分を覆う各バッドの上縁部の上側近傍を通り、背面生地の左右方向の中央部に向って漸次下方となる位置を通るように形成し、下側背面生地は境界部を介して上側背面生地に接続することにより、左右の各パッドが身体の腰部を囲むような立体的形状になることを許容するように形成しているので、各バッドが身体の腰部を囲むような立体的形状に容易に変形することになり、腰部における各パッドのフィット感の向上を図ることができる。
【００１９】
請求項７に記載の考案によれば、左右の各肩の部分を覆うように設けたパッドには肩口に沿う方向にステッチによる凹状のラインが形成されているので、腕を上げるのに伴って肩の端部が上方に移動する際に、当該パッドがステッチによる凹状のラインに沿って極めて容易に屈曲することになる。また、背中における背骨の部分を覆うように設けたパッドの上部には襟ぐりに沿う方向にステッチによる凹状のラインが形成されているので、首を後方へ曲げる際に、当該パッドがステッチによる凹状のラインに沿って極めて容易に屈曲することになる。従って、腕を上げる際や首を後方に曲げる際に、当該パッドが抵抗となるのを有効に防止することができる。
【図面の簡単な説明】
【００２０】
【図１】本考案の実施例１として示した新体操用練習衣装の正面図である。
【図２】同新体操用練習衣装の背面図である。
【図３】同新体操用練習衣装における所定のパッドをストレッチ編物生地に千鳥縫いによって縫着した状態を示す説明図である。
【図４】本考案の実施例２として示した新体操用練習衣装の正面図である。
【図５】同新体操用練習衣装の背面図である。
【考案を実施するための形態】
【００２１】
本考案を実施するための形態を実施例に基づいて詳細に説明する。
【実施例１】
【００２２】
この考案の実施例１について図面を参照しながら説明する。
この実施例１で示す新体操用練習衣装は、図１及び図２に示すように、ストレッチ編物生地２によってノースリーブ状に形成されたトップス１からなるものであ、ストレッチ編物生地２の所定の位置にパッド３を縫着したものとなっている。
【００２３】
ストレッチ編物生地２は、例えばナイロン８５％、ポリウレタン１５％の繊維によるツーウェイの伸縮性を有するように形成されている。このストレッチ編物生地２は、身体の前面側に位置することになる前面生地２１と、身体の背面側に位置することになる背面生地２２とからなり、これらの生地２１、２２における左右の肩及び脇の部分を縫着することにより、トップス１の基本的形状を形成するようになっている。
【００２４】
パッド３は、厚さが２．５〜３．５ｍｍの発泡クロロプレンゴム（発泡ゴム）板の両面にナイロン繊維質を貼り付けたものであり、クッション性及びツーウェイの伸縮性を有している。このパッド３は、身体の表面のうち保護を要する部分を覆うように、ストレッチ編物生地２の内面に縫着されている。
【００２５】
その身体の表面のうち保護を要する部分は、当該身体の表面における外から触れた際に骨を確認できる部分であり、特に左右の各肩の部分、背中における背骨の部分及び腰における左右に突出する各寛骨（いわゆる腰骨）の部分となっている。
【００２６】
この例では、パッド３は、左右の肩部パッド３１と、背骨部パッド３２と、左右の腰骨部パッド３３とを供えたものとなっている。
【００２７】
肩部パッド３１は、左右の各肩の前面から後面に係る当該肩の上部全体を覆うように形成されたものであり、その肩の上部全体を覆うようにストレッチ編物生地２に縫着されている。
【００２８】
背骨部パッド３２は、背骨の長手方向に４つに分割された状態でストレッチ編物生地２に縫着され、これにより背骨の全体を保護すると共に、背骨の円滑な屈曲を可能にしている。即ち、背骨部パッド３２は、第１パッド片３２ａ、第２パッド片３２ｂ、第３パッド片３２ｃ、第４パッド片３２ｄによって構成されており、各パッド片３２ａ〜３２ｄが互いに所定の間隔をおいて背骨の長手方向に順次配置され、全体として背骨を背面側から覆うように形成されている。また、隣接する各パッド片同士の間隔（パッド片３２ａ、３２ｂ間、パッド片３２ｂ、３２ｃ間、パッド片３２ｃ、３２ｄ間の各間隔）は、身体における背骨の部分が床面に当たって痛みを生じることがないような間隔以下に設定されている。なお、各パッド片３２ａ〜３２ｄを互いに隙間なく配置してもよい。
【００２９】
腰骨部パッド３３は、左右にそれぞれ突出する寛骨の前面側から後面側に係る腰の側面部全体を覆うように形成されたものであり、その腰の側面部全体を覆うようにストレッチ編物生地２に縫着されている。
【００３０】
また、パッド３は、図３に示すように、その周縁部が千鳥縫い（ジグザグ縫い）による縫い糸３ａによってストレッチ編物生地２に縫着されるようになっており、縫着部における自由な伸縮を可能にしている。なお、図３は、背骨部パッド３２のうちの一つのパット片３２ｃを用いて、千鳥縫いによる縫着の例を示したものであり、他のパッド３についても同様の千鳥縫いによってストレッチ編物生地２に縫着されている。
【００３１】
上記のように構成されたトップス１においては、当該トップス１を身につける者の身体の表面のうち保護を要する部分を覆うように、クッション性及び伸縮性を有する所定の厚さのパッド３をストレッチ編物生地２に縫着しているので、硬い床上で新体操の練習する場合でも、その床面から受ける力をパット３で十分に吸収することができる。従って、硬い床上で練習する場合において身体に痛みが生じるのを確実に防止することができる。
【００３２】
また、パッド３を２．５〜３．５ｍｍの厚さの発泡クロロプレンゴムによって形成しているので、痛みを解消するのに十分なクッション性を有すると共に、薄く軽い素材による違和感のないパッド３を得ることができる。ここで、パッド３の厚さを２．５ｍｍ以上としたのは、２．５ｍｍ未満になると、クッション性が不足して身体に痛みを感じるおそれがあるからであり、３．５ｍｍを超えると、厚さ及び重さの増加によりパッド３の部分に違和感を覚えることになるからである。また、３．５ｍｍを超えると、伸縮性及び屈曲性も悪くなり、この点からもパッド３の部分に違和感を生じることになる。
【００３３】
そして、パッド３を設ける部分を、身体の表面における外から触れた際に骨を確認できる部分に特定しているので、その骨の部分が床面に当たることにより、特に大きな痛みを感じるのを防止することができる。
【００３４】
また、この実施例では、骨を確認できる部分のうち、左右の各肩の部分、背中における背骨の部分及び腰における左右に突出する各寛骨の部分に限定し、これらの部分を保護するように肩部パッド３１、背骨部パッド３２及び腰骨部パッド３３をそれぞれ設けているので、より少ない部位に設けたパッド３によって身体の痛みを効率よく緩和することができる。
【００３５】
また、背骨部パッド３２は背骨の長手方向に４分割されたパッド片３２ａ、３２ｂ、３２ｃ、３２ｄによって構成されているので、パッド３の伸縮性がストレッチ編物生地２に比して劣っていても、背骨の自由な屈曲を可能とし、背中部分に違和感が生じるのを防止することができる。しかも、各パッド片同士の間隔が身体における背骨の部分が床面に当たって痛みを生じることがないような間隔以下に設定されているので、背骨の部分に痛みが生じるのを確実に防止することができる。また、各パッド片を隙間なく配置した場合においても、背骨の自由な屈曲を可能にすることができると共に、背骨の部分に痛みが生じるのを確実に防止することができる。
【実施例２】
【００３６】
次に、この考案の実施例２について図面を参照しながら説明する。
この実施例２で示す新体操用練習衣装は、図４及び図５に示すように構成されており、図１〜図３で示した実施例１に記載の構成要素と共通する要素については図面上同一の符号を付し説明を簡略化する。
【００３７】
この実施例２で示す新体操用練習衣装が実施例１と異なる点は、肩部パッド３１がノースリーブの開口縁部に達するように形成されている点、背骨部パッド３２のうち第１パッド片３２ａが襟の開口縁部に達するように形成されている点、第４パッド片３２ｄが裾部に達するように形成されている点、腰骨部パッド３３が裾部に達するように形成されている点、背面生地２２が二枚の生地によって形成されている点、及び肩部パッド３１や背骨部パッド３２の所定の位置にステッチによる凹状のライン３１ａ、３２ａａが形成されている点である。
【００３８】
即ち、肩部パッド３１は、左右の各肩の前面から後面に係る当該肩の上部全体を覆うように形成されていると共に、ストレッチ編物生地２における左右の各ノースリーブの開口縁部に沿う部分がその開口縁部に達するように形成されたものであり、そのように形成された状態が確保されるようにストレッチ編物生地２に縫着されている。また、肩部パッド３１における左右の各ノースリーブの開口縁部に沿う部分は、当該開口縁部に設けられたバインダー布２３内に挿入された状態で当該バインダー布２３と一緒にストレッチ編物生地２に縫着されるようになっている。
【００３９】
第１パッド片３２ａは、背骨の最上部を覆うように形成されていると共に、ストレッチ編物生地２における背中側の襟の開口縁部に沿う部分がその開口縁部に達するように形成されたものであり、そのように形成された状態が確保されるようにストレッチ編物生地２に縫着されている。また、第１パッド片３２ａにおける襟の開口縁部に沿う部分は、当該開口縁部に設けられたパイピング布２４内に挿入された状態で当該パイピング布２４と一緒にストレッチ編物生地２に縫着されるようになっている。
【００４０】
第４パッド片３２ｄは、背骨の最下部を覆うように形成されていると共に、ストレッチ編物生地２における背中側の裾部に沿う部分がその裾部に達するように形成されたものであり、そのように形成された状態が確保されるようにストレッチ編物生地２に縫着されている。また、第４パッド片３２ｄにおける裾部に沿う部分は、当該裾部に形成された折返部２ａ内に挿入された状態で当該折返部２ａと一緒にストレッチ編物生地２に縫着されるようになっている。
【００４１】
腰骨部パッド３３は、左右にそれぞれ突出する寛骨の前面側から後面側に係る腰の側面部全体を覆うように形成されていると共に、ストレッチ編物生地２の裾部に沿う部分がその裾部に達するように形成されたものであり、そのように形成された状態が確保されるようにストレッチ編物生地２に縫着されている。また、腰骨部パッド３３における裾部に沿う部分は、当該裾部に形成された折返部２ａ内に挿入された状態で当該折返部２ａと一緒にストレッチ編物生地２に縫着されるようになっている。
【００４２】
背面生地２２は、上側背面生地２２ａと下側背面生地２２ｂとからなる二枚の生地によって形成されており、これらの生地２２ａ、２２ｂは、境界部２ｂにおいて縫着により接続されている。境界部２ｂは、左右の各腰骨部パッド３３の上縁部の上側であって当該上縁部の近傍を通り、かつ第３パッド片３２ｃと第４パッド片３２ｄとの中間部分を通ることにより、背面生地２２の左右方向の中央部に向けて漸次下方となるように円弧状に湾曲した形状になっている。下側背面生地２２ｂは、境界部２ｂを介して上側背面生地２２ａに接続された状態において、左右の各腰骨部パッド３３が身体の腰部を囲むような立体的形状になることを比較的容易に許容するようにその形状が設定されている。
【００４３】
左右の各肩部パッド３１には、ノースリーブの開口縁部に沿う方向（肩口に沿う方向）にステッチによる凹状のライン３１ａが近接した状態で２本ほぼ平行に形成されている。これらのライン３１ａは、ノースリーブの開口縁部から襟の開口縁部側に所定寸法入った位置であって、腕を上げるのに伴い肩の端部が上方に移動した際に、肩部パッド３ａに屈曲が生じる位置に形成されている。
【００４４】
また、背骨部パッド３２の上部、即ち第１パッド片３２ａの上部には、襟の開口縁部（襟ぐり）に沿う方向にステッチによる凹状のライン３２ａａが近接した状態で２本ほぼ平行に形成されている。これらのライン３２ａａは、襟の開口縁部から所定寸法下方に下がった位置であって、首を後方へ曲げた際に、第１パッド片３２ａに屈曲が生じる位置に形成されている。
【００４５】
上記ステッチは、肩部パッド３１や第１パッド片３２ａの上下の面を糸により互い縫い寄せる縫い方である。このステッチによって、肩部パッド３１や第１パッド片３２ａの上下の各面に縫い目が形成され、この縫い目に沿って凹状のラインが形成されることになる。
【００４６】
上記のように構成されたトップス１においては、肩部パッド３１、第１パッド片３２ａ、第４パッド片３２ｄ及び腰骨部パッド３３がそれぞれノースリーブの開口縁部、襟の開口縁部及び裾部に達するように形成されているので、保護すべき身体のより広い部分を有効に保護することができると共に、各パッド３の端部をストレッチ編物生地２に容易に縫着することができる。しかも、下側背面生地２２ｂが上側背面生地２２ａの下側に境界部２ｂを介して接続された状態において、左右の各腰骨部パッド３３が身体の腰部を囲むような立体的形状になることを比較的容易に許容するように、当該下側背面生地２２ｂの形状が設定されているので、腰部における腰骨部パッド３３のフィット感を向上させることができる。
【００４７】
左右の各肩部パッド３１にはノースリーブの開口縁部に沿う方向にステッチによる凹状のライン３１ａが近接した状態で２本ほぼ平行に形成されており、これらのライン３１ａはノースリーブの開口縁部から襟の開口縁部側に所定寸法入った位置であって、腕を上げるのに伴って肩の端部が上方に移動した際に、肩部パッド３ａに屈曲が生じる位置に形成されているので、腕を上げる際に、肩部パッド３１がライン３１ａに沿って極めて容易に曲ることになる。
【００４８】
また、背骨部パッド３２の第１パッド片３２ａの上部には襟の開口縁部に沿う方向にステッチによる凹状のライン３２ａａが近接した状態で２本ほぼ平行に形成されており、これらのライン３２ａａは襟の開口縁部から所定寸法下方の位置であって、首を後方へ曲げた際に、第１パッド片３２ａに屈曲が生じる位置に形成されているので、首を後方へ曲げる際に、当該第１パッド片３２ａがライン３２ａａに沿って極めて容易に屈曲することになる。
【００４９】
従って、腕を上げる際や首を後方に曲げる際に、肩部パッド３ａや第１パッド片３２ａが抵抗となるのを有効に防止することができる。また、ライン３１ａを２本ほぼ並行に設けることにより、当該ライン３１ａを設けた部分の屈曲性の向上を図ることができる。ライン３２ａａについても同様である。
【００５０】
なお、上記実施例１及び２においては、パッド３をストレッチ編物生地２の内面に縫着した例を示したが、当該パッド３をストレッチ編物生地２の外面に縫着してもよい。
【００５１】
また、パッド３をトップス１に設けた例を示したが、当該パッド３を新体操用練習衣装としてのレオタードやスパッツ等に設けてもよい。レオタードの場合には、上述したトップス１と同様に、少なくとも左右の各肩の部分、背中における背骨の部分及び腰における左右に突出する各寛骨の部分に各パッド３を設けることが好ましい。また、スパッツの場合には、主として各寛骨の部分にパッド３（腰骨部パッド３３）を設けることになる。
【００５２】
実施例２で示したライン３１ａについては、２本近接させてほぼ平行に設けた例を示したが、１本のみを設けるように構成してもよい。また、ライン３１ａを更に複数設けることにより、複雑な曲面で屈曲するように構成してもよい。ライン３２ａａについても同様である。
【００５３】
また、ライン３１ａ、３２ａａを実施例１で示した肩部パッド３１及び第１パッド片３２ａに設けてもよいことはいうまでもない。
【符号の説明】
【００５４】
１  トップス（新体操用練習衣装）
２  ストレッチ編物生地
２ｂ  境界部
３  パッド
２１  前面生地
２２  背面生地
２２ａ  上側背面生地
２２ｂ  下側背面生地
３１  肩部パッド
３１ａ、３２ａａ  ライン
３２  背骨部パッド
３２ａ、３２ｂ、３２ｃ、３２ｄ  パッド片
３３  腰骨部パッド
【図１】
0003166698.tif 000003
【図２】
0003166698.tif 000004
【図３】
0003166698.tif 000005
【図４】
0003166698.tif 000006
【図５】
0003166698.tif 000007